(57)【要約】      （修正有）【課題】洋弓においては、ハンドルライザー部に設けたブロックに、クッションプランジャを固定し、それに矢を保持させて使用する。クッションプランジャの縦方向の固定位置を、容易に多種類選択できる構成を提供する。【解決手段】クッションプランジャー取り付け装置Ａである。ブロック３１には、クッションプランジャー４１を取り付ける複数のクッションプランジャー取付け孔３２が、中央に一列に、かつ非対称の位置に、雌ねじ孔としてもうけられている。ブロック収納孔は、ハンドルライザー２１の片面に凹状に設けられ、そこにブロック３１を収納する。ブロック収納孔の底部に、ハンドルライザー２１を貫通する長穴が、縦方向に設けられる。ブロックを上下逆にすることを含めることで、縦方向の固定位置を多種類選択することができる。【選択図】図２
2019128135.tif 000002
【特許請求の範囲】
【請求項１】
クッションプランジャーを取り付ける複数のクッションプランジャー取付け孔を、アーチェリーのハンドルライザーに取り付けたときハンドルライザー長手方向に並ぶように設けるブロックと、
ブロックをハンドルライザーに取り付けたときに、クッションプランジャー取付け孔と重なるアーチェリー長手方向に、アーチェリーのハンドルライザーの一方の面から他方の面まで貫通する長穴と、
ハンドルライザー一方面の長穴周囲に他方の面までは貫通させないで設ける、ブロックを収納するブロック収納孔と、
を有するクッションプランジャー取り付け装置。
【請求項２】
クッションプランジャー取付け孔は、ハンドルライザーの長手方向にブロック中心から偏らせている、
請求項１記載のクッションプランジャー取り付け装置。
【請求項３】
クッションプランジャー取付け孔は、２個の孔からなる、
請求項１または請求項２いずれか記載のクッションプランジャー取り付け装置。
【発明の詳細な説明】
【技術分野】
【０００１】
本発明は、アーチェリーに係る。更に詳細には、アーチェリーに取り付けられるクッションプランジャーあるいはプランジャーの取り付け装置に係る。
【背景技術】
【０００２】
アーチェリーでは、アーチャーのパラドックス（archer's paradox）あるいはアーチェリーパラドックスの問題が知られている。アーチャーのパラドックスを代償するため、クッションプランジャーが発明された。
アーチェリーのクッションプランジャーは、アーチェリーのハンドル部に水平方向でかつ矢方向とは直角になる方向に貫通する孔からなる、取付部である雌ねじに螺合してアーチェリーに取り付けていた。クッションプランジャーの先端によって矢台の上部で側面から矢の弾道を規制する非常に重要な作用していた。このようなクッションプランジャーのアーチェリーにおける位置は固定されたものであった。
【０００３】
従来の、アーチェリーのクッションプランジャーとしては、特開昭５９−１８５９９８号公報「アーチェリー用の弓」（特許文献１）、特開平０９−２７３８９４号公報「アーチェリーおよびアーチェリーのクッションプランジャー用ローター」（特許文献２）、特開２００８−２０１７８号公報「アーチェリーにおける矢保持装置」（特許文献３）記載のものが知られている。
「クッションプランジャーは、矢の振動や蛇行を吸収して矢の飛行方向を規制するものである。」（特許文献３  特開２００８−２０１７８号公報［０００３］）、「クッションプランジャーは、その先端部がシューティング時の矢の進行方向に対して直角方向に突出」している（同［０００４］）等の記載がある。
【０００４】
「アーチェリー競技では、アーチャーが使用するアーチェリー本体の強さと矢の長さによって、矢のスパイン（矢の硬度および太さ）が決定される。矢のスパインは、スパイン値が微小に異なっても同一の矢道を通らず競技に影響を与える。そのため決定される矢のスパインは、通常はチャート表の基準値を目安として選択するが、各競技者の力の強さや個性、また競技の種類で微妙に異なり、各アーチャーがベストアローを選択することや、あるいは調整することは非常に重要なことであるとともに非常に困難なことである。」とされる（特許文献２［０００６］参照）。
【０００５】
「アーチャーの押し手の仮想線と地平線との為す仰角は、アーチェリー競技の矢を正確に的にあてる為の重要な要素の一つである。一般的に仰角が大きくなると、押し手の水平方向の維持が難しくなる傾向がある。特にアーチェリーの長距離競技（９０ｍ、７０ｍ）では押し手の仰角はより大きくとる必要があり、押し手が上方へ向かうため、押し手の制止が不安定になり打ちにくくなる課題があった。」とされる（特許文献２［０００７］参照）。
【０００６】
「アーチャーの仰角を決める他の要素としては、アーチャーの目の位置から顎の先端位置までの寸法、アーチャーの背の高さ、各々のアーチャーの弓の取りかけの高さ位置という各々のアーチャーの特質による高さと、照準器（サイト）の高さ位置と、クッションプランジャーと矢台の高さ位置という三つの高さ位置要素が関連してアーチャーの仰角Ｇを決定している。」とされる（特許文献２［０００８］参照）。
【０００７】
「従来のように位置の固定されたクッションプランジャーおよび矢台を使用すると目と顎の間隔の比較的短い人、および取りかけの高い人、および背の低い人は、照準器を標準の高さ位置で矢を射る場合、的の高さ（１３０ｃｍ高）が固定されている為、アーチェリー全体が下がり矢は通常より下方に向いて飛んでしまう。したがって照準器の高さを下げて矢の飛ぶ方向を調整する必要がある。照準器の高さを下げるとアーチャーの仰角は大きくなり、長距離競技と同様に押し手の制止が不安定になり易い課題があった。」とされる（特許文献２［０００９］参照）。
【０００８】
「目と顎の間隔Ｄの比較的長い人、および取りかけの低い人、および背の高い人は、照準器を標準の高さ位置で矢を射る場合、的の高さが固定されている為アーチェリー全体が上がり矢は通常より上方に向いて飛んでしまう。したがって照準器の高さ位置を上げて矢の飛ぶ方向を調整する必要がある。照準器の高さを上げるとアーチャーの仰角は小さくなるが、５ｍ競技等の短距離競技では、押し手の位置が極端に下方に向き押し手の制止が難しい課題があった。」とされる（特許文献２［００１０］参照）。
【０００９】
「長距離競技と短距離競技、目と顎の先の間隔の大きい人と小さい人、背の高いアーチャーと背の低いアーチャーによって、照準器の高さ位置は変える必要があり、従来のようにクッションプランジャーと矢台が固定されたものであるとそれにしたがって押し手の仰角が大きく変化せざる得ない課題があった。」とされる（特許文献２［００１１］参照）。
【００１０】
「アーチェリー競技では、初心者と上級者では弓を引く力が異なる。したがって自分の持っている同一の弓でも、上級の力が加わってくると弓の引く力が大きくなり矢の先端がクッションプランジャーと矢台に載らない位置にくる問題点があった。また、購入した矢が長すぎたり、矢５２が真っすぐに飛ばなかったりした場合、従来では高価な矢を取り変えて調整するしか方法がなかった。」とされる（特許文献２［００１２］参照）。
【００１１】
そこで、特開平０９−２７３８９４号公報「アーチェリーおよびアーチェリーのクッションプランジャー用ローター」（特許文献２）では、
「アーチェリーのクッションプランジャーが固定されたものであると背の高さや競技の種類により押し手の仰角が大きくせざる得ない課題」を解決するため、「アーチェリーのクッションプランジャーを取り付けるローターがハンドル部に回転自在に設けられ、ローターのクッションプランジャーを取り付ける部分位置がローターの回転中心位置とは異なる位置に設けられ、ローターの回転固定手段によりクッションプランジャー取付部位置の変更が可能であるクッションプランジャー用ローターおよびクッションプランジャー用ローターを有するアーチェリー」を提供した。
その前提として、ノッキングポイント（現に矢をつがえる位置）は、上下リムのバランスを考慮して、矢と弦の角度は直角にあらず、一般的には直角よりは上方へ８分の１インチから４分の１インチに高さを設定することは周知の事実であり、そのことは本発明においても、何ら変わることはない。
【先行技術文献】
【特許文献】
【００１２】
【特許文献１】特開昭５９−１８５９９８号公報
【特許文献２】特開平０９−２７３８９４号公報
【特許文献３】特開２００８−２０１７８号公報
【発明の概要】
【発明が解決しようとする課題】
【００１３】
特開平０９−２７３８９４号公報「アーチェリーおよびアーチェリーのクッションプランジャー用ローター」（特許文献２）では、回転自在に設けられたクッションプランジャー用ローターの同心円上どこにでもクッションプランジャーを取り付けることができるとされるが、クッションプランジャーは、ピボットポイント（回転軸）直上の線上に設置されず、ピボットポイントからの直上の線上外に変更されたのでは、意味がない。
クッションプランジャー用ローターを用いても、実際上、ピボットポイントからの直上の線上となる２か所しか使用されない課題を有した。
【課題を解決するための手段】
【００１４】
この発明に係る、クッションプランジャー取り付け装置では、
クッションプランジャーを取り付ける複数のクッションプランジャー取付け孔を、アーチェリーのハンドルライザーに取り付けたときハンドルライザー長手方向に並ぶように設けるブロックと、
ブロックをハンドルライザーに取り付けたときに、クッションプランジャー取付け孔と重なるアーチェリー長手方向に、アーチェリーのハンドルライザーの一方の面から他方の面まで貫通する長穴と、
ハンドルライザー一方面の長穴周囲に他方の面までは貫通させないで設ける、ブロックを収納するブロック収納孔と、
を、提供する。
【００１５】
この発明は更に、
クッションプランジャー取付け孔は、ハンドルライザーの長手方向にブロック中心から偏らせている。
【００１６】
この発明は更に、
クッションプランジャー取付け孔は、２個の孔からなる。
【発明の効果】
【００１７】
複数のクッションプランジャー取付け孔をハンドルライザー長手方向逆に、ブロックをブロック収納孔に入れ替えることで、クッションプランジャー取付け孔以上の種類のクッションプランジャー取付け孔を長穴に得ることができる。
クッションプランジャー取付け孔が２個の場合は、孔をハンドルライザー長手方向逆にブロックをブロック収納孔に入れ替えることで、４種類のクッションプランジャー取付け孔を長穴に得る。
【図面の簡単な説明】
【００１８】
【図１】この発明の実施の形態にかかるアーチェリー全体の正面図である。
【図２】この発明の実施の形態にかかるアーチェリーのハンドルライザー部分の一部拡大正面図である。
【図３】この発明の実施の形態にかかるハンドルライザーのクッションプランジャー取り付け部分の表側一部拡大斜視図である。
【図４】この発明の実施の形態にかかるハンドルライザーのクッションプランジャー取り付け部分の裏側一部拡大斜視図である。
【図５】この発明の実施の形態にかかるクッションプランジャー取付け用ブロックの斜視図である。
【図６】この発明の実施の形態にかかるハンドルライザーのクッションプランジャー取り付け部分の裏側にクッションプランジャー取付け用ブロックを嵌めた裏側から見た一部拡大斜視図である。
【図７】この発明の実施の形態にかかるハンドルライザーのクッションプランジャー取り付け部分の裏側にクッションプランジャー取付け用ブロックを図６とはハンドルライザー長手方向に上下逆に嵌めた裏側から見た一部拡大斜視図である。
【図８】この発明の実施の形態にかかるハンドルライザーのクッションプランジャー取り付け部分の裏側にクッションプランジャー取付け用ブロックを嵌めた図６に図示する状態を逆の表側から見た一部拡大斜視図である。
【図９】この発明の実施の形態にかかるハンドルライザーのクッションプランジャー取り付け部分の裏側にクッションプランジャー取付け用ブロックを図８とはハンドルライザー長手方向に上下逆に嵌めた図７に図示する状態を逆の表側から見た一部拡大斜視図である。
【図１０】アーチャーが矢を射る場合の目の高さ位置、取りかけの位置、照準器の位置、押し手の仰角を示す説明図である。
【図１１】アーチャーの目の高さ位置（背の高さ、目と顎の間隔、取りかけの高さ）と照準器の高さ位置と、的の高さ位置（固定）との関係を示す説明図である。
【発明を実施するための形態】
【００１９】
実施の一形態を、図１ないし図９に基づいて説明する。
１１は、アーチェリーである。２１はハンドルライザー、１２はリムである。アーチェリー１１は、中央に位置するハンドルライザー２１の両端に、リム１２をそれぞれ取り付ける。４１は、クッションプランジャーである。２１１は、グリップ部である。グリップ部２１１は、ハンドルライザー２１の中央部に設ける。
【００２０】
２２は、長穴である。長穴２２は、アーチェリー１１のハンドルライザー２１長手方向に、アーチェリー１１のハンドルライザー２１の一方の面であるハンドルライザー２１の表側から他方の面であるハンドルライザー２１の裏側まで貫通して設ける。
長穴２２は、この実施例では、縦２８ｍｍ横１１ｍｍからなる。
長穴２２は、ハンドルライザー２１本体に、ハンドルライザー２１の表側では縦方向すなわちハンドルライザー２１長手方向に孔を設け、クッションプランジャー４１を縦方向すなわちハンドルライザー２１長手方向にしか調整できないようにしている。
【００２１】
２３は、ブロック収納孔である。ブロック収納孔２３は、長穴２２を含むより広い大きさでハンドルライザー２１の一方の面であるハンドルライザー２１の裏側の表面から削って断面凹状に設けるが、他方の面であるハンドルライザー２１の表側まで貫通させない。ブロック収納孔２３には、ブロック３１を収納する。
ブロック収納孔２３は、ハンドルライザー２１の一方の面の表面に四角に設ける。この実施の形態では、縦横３４ｍｍからなる。ブロック収納孔２３の中心部にハンドルライザー２１長手方向に長穴２２を設けてある。
長穴２２の両先端からブロック収納孔２３の端部までの余白部分は、この実施の形態では各々３ｍｍである。
２４は、ブロック固定部である。ブロック固定部２４は、ブロック収納孔２３の長穴２２を挟んだ底面の両側に雌ねじ孔として設ける。
【００２２】
３１は、ブロックである。３２は、クッションプランジャー取付け孔である。
ブロック３１は、クッションプランジャー４１を取り付ける複数のクッションプランジャー取付け孔３２を、中央に一列に雌ねじ孔として設ける。クッションプランジャー取付け孔３２は、アーチェリー１１のハンドルライザー２１に取り付けたときハンドルライザー２１長手方向に設ける。
ブロック３１をハンドルライザー２１に取り付けたときに、長穴２２と重なる位置にクッションプランジャー取付け孔３２は設けてある。
【００２３】
クッションプランジャー取付け孔３２は、この実施の形態では２個からなる。
３３は、ブロック取付け孔である。ブロック取付け孔３３は、クッションプランジャー取付け孔３２を挟んだ両側に雌ねじ孔として設ける。
ブロック３１をブロック収納孔２３に収納した後、ブロック取付け孔３３とブロック固定部２４を重ねて、ハンドルライザー２１にボルトを通して固定する。
雌ねじ孔は直径６〜１５ｍｍ、この実施の形態では直径１１ｍｍの雌ねじ孔である。
【００２４】
ブロック３１には、この実施の形態では、クッションプランジャー取付け孔３２を２個設ける。２個のうちブロック３１の縁よりのクッションプランジャー取付け孔３２は、ブロック３１の縁から３ｍｍの位置から設ける。そのため、図５等に図示するように、縁よりのクッションプランジャー取付け孔３２とロック３１の縁までは、余白３ｍｍである。
縁よりの雌ねじ孔として設けるクッションプランジャー取付け孔３２の径は１１ｍｍである。縁よりのクッションプランジャー取付け孔３２と孔間１ｍｍのスペースを空けて、中心寄りのクッションプランジャー取付け孔３２を径１１ｍｍで設ける。
そのため、中心寄りのクッションプランジャー取付け孔３２とブロック３１の縁までは８ｍｍとなる。
【００２５】
ブロック３１に設ける、２個のクッションプランジャー取付け孔３２の位置は、取り付けるハンドルライザー２１長手方向に偏心している。この実施例では、クッションプランジャー取付け孔３２は、ハンドルライザー２１の長手方向にブロック３１中心から偏らせ、対称にしていない。
ブロック３１と、ブロック収納孔２３等で、クッションプランジャー取り付け装置Ａを得る。
【００２６】
複数のクッションプランジャー取付け孔３２をハンドルライザー２１長手方向逆にブロック３１をブロック収納孔２３に入れ替えることで、設けてあるクッションプランジャー取付け孔３２の数以上の種類のクッションプランジャー取付け孔３２を長穴２２に得ることができる。
この実施の形態では、クッションプランジャー取付け孔３２が２個からなるので、クッションプランジャー取付け孔３２をハンドルライザー２１長手方向逆にしてブロック３１をブロック収納孔２３に入れ替えることで、４種類のクッションプランジャー取付け孔３２を長穴２２に得る。
そのため、ブロック３１上下を入れ替えて、ブロック収納孔２３に収納することで４種類のクッションプランジャー取付け孔３２の位置を作ることができる。
【００２７】
ブロック３１上下を入れ替えて、ブロック収納孔２３に収納する。長穴２２から露出する２個のクッションプランジャー取付け孔３２の内の一を選択して、アーチェリー１１２における、ハンドルライザー２１のグリップ部２１１上部にクッションプランジャー４１を取り付ける。
【００２８】
図１０において５１はアーチャー、５２は矢、５３は取りかけ位置、５４は目の高さ、９は照準器、５６はアーチャーの押し手、５７は地平面である。Ｇの角度は押し手の仰角を示し、押し手の仮想線５６ａと地平面の仮想線５７ａの為す角度である。照準器９は昇降自在であり、各々のアーチャー５１が高さ調整可能である。
【００２９】
目と顎の間隔の比較的短い人（Ａ１）、取りかけの高い人（Ａ２）、背の低い人（Ａ３）においては、通常照準器９を標準の高さ位置（９Ｃ）で矢５２を射ると、的５５の高さ（１３０ｃｍ）が固定されている為、矢道は通常より下方に向いて飛んでしまう。したがって、従来例のようにクッションプランジャー４１の設置位置が固定されたものでは照準器９の高さを下げて（９Ａ）矢５２の飛ぶ方向を調整する必要があった。
【００３０】
このような場合は、クッションプランジャー４１を取り付けるクッションプランジャー取付け孔３２の位置を高くすることにより、クッションプランジャー４１と矢台の位置を高く調整し、照準器９の高さを移動させず（照準器の高さ移動はアーチャーにより０．１ｍｍ〜１．０ｍｍ程度の徴調整は競技中に行うことがある）に矢道を上方へ修正できる。したがって、押し手５６の仰角Ｇを小さくできる。
【００３１】
同様に長距離競技の場合に、あらかじめクッションプランジャー４１を取り付けるクッションプランジャー取付け孔３２の位置高くする。これにより、押し手５６の仰角Ｇを最適の角度にできる。
逆に、目と顎の間隔の比較的長い人（Ｂ１）、取りかけの低い人（Ｂ２）、背の高い人（Ｂ３）は、照準器９を標準の高さ位置（９Ｃ）で矢５２を射ると、同様に矢５２は通常より上方に向いて飛んでしまう。したがって照準器９の高さ位置を上げて（９Ｂ）矢５２の飛ぶ方向を調整する必要がある。
このような場合は、クッションプランジャー４１と矢台の位置を低く調整し、照準器９の位置を移動させずに矢道を下方へ修正できる。
この実施例では、ピボットポイントを弓の中心（長手方向）よりも下方に設置することで、矢の設定位置をより弓の中心に近づけることができる。それに伴い、矢発射時にパワーを無理なく矢に伝えることが可能となる。
更に、近年オリンピック及びＦＩＴＡ公認大会では長距離７０ｍのみの競技である。その為、本発明のクッションプランジャー４段階取り付け装置は威力を発揮することとなる。
【符号の説明】
【００３２】
１１  アーチェリー
１２  リム
２１  ハンドルライザー
２１１  グリップ部
２２  長穴
３１  ブロック
３２  クッションプランジャー取付け孔
３３  ブロック取付け孔
４１  クッションプランジャー
Ａ  クッションプランジャー取り付け装置
【図１】
2019128135.tif 000003
【図２】
2019128135.tif 000004
【図３】
2019128135.tif 000005
【図４】
2019128135.tif 000006
【図５】
2019128135.tif 000007
【図６】
2019128135.tif 000008
【図７】
2019128135.tif 000009
【図８】
2019128135.tif 000010
【図９】
2019128135.tif 000011
【図１０】
2019128135.tif 000012
【図１１】
2019128135.tif 000013